(57)【要約】      （修正有）【課題】４５度ミラーの傾き調整時の際に、ミラーへのストレスを軽減する。【解決手段】  光ディスクの記録／再生用光ピックアップに設けられる４５度ミラーの取付構造で、ミラーを固定用の取付面を有する円板状の第１部材と、ミラーの反対側に配置された略円板状の第２部材と、第１部材とは反対側に配置され、直交する第１軸及び第２軸上にそれぞれ貫通する第１及び第２ネジ孔を有する、光ピックアップ筐体に固定される略円板状の第３部材と、第１及び第２部材と一体に形成された第１連結部材と、第２及び第３部材と一体に形成された第２連結部材と、第１ネジ孔に螺合されて、先端部が第２部材に当接することによって、第２部材及び第１連結部材を介して第１部材の傾きを調整するための第１調整ネジと、第２ネジ孔に螺合されて先端部が第２部材に当接することにより、第２部材及び第１連結部材を介して第１部材の傾き調整用の第２調整ネジとを備える。【選択図】  図３
2006024317.tif 000002
【特許請求の範囲】
【請求項１】
光ディスクの読み取り及び／又は書き込みに使用される光ピックアップに設けられる４５度ミラーの取付構造であって、
前記４５度ミラーを固定するための取付面を有する略円板状の第１部材と、
前記第１部材に対して前記４５度ミラーとは反対側に配置された略円板状の第２部材と、
前記第２部材に対して前記第１部材とは反対側に配置され、互いに直交する第１軸及び第２軸上にそれぞれ貫通するネジ孔である第１及び第２ネジ孔を有する略円板状の第３部材であって、前記光ピックアップの筐体に固定される第３部材と、
前記第１部材及び前記第２部材に対して括れた括部として、前記第１部材及び前記第２部材と一体に形成された第１連結部材と、
前記第２部材及び前記第３部材に対して括れた括部として、前記第２部材及び前記第３部材と一体に形成された第２連結部材と、
前記第１ネジ孔に螺合されて、先端部が前記第２部材に当接することによって、前記第２部材及び前記第１連結部材を介して前記第１部材の傾きを調整するための第１調整ネジと、
前記第２ネジ孔に螺合されて、先端部が前記第２部材に当接することによって、前記第２部材及び前記第１連結部材を介して前記第１部材の傾きを調整するための第２調整ネジと、
を備えることを特徴とする光ピックアップの４５度ミラー取付構造。
【請求項２】
光ディスクの読み取り及び／又は書き込みに使用される光ピックアップに設けられる４５度ミラーの取付構造であって、
前記４５度ミラーを固定するための取付面を有する第１部材と、
前記第１部材に対して前記４５度ミラーとは反対側に配置された第２部材と、
前記第２部材に対して前記第１部材とは反対側に配置され、貫通するネジ孔である第１ネジ孔を有し、前記光ピックアップの筐体に固定される第３部材と、
前記第１部材及び前記第２部材よりも細く形成され、前記第１部材と前記第２部材とを連結する第１連結部材と、
前記第２部材及び前記第３部材よりも細く形成され、前記第２部材と前記第３部材とを連結する第２連結部材と、
前記第１ネジ孔に螺合されて、先端部が前記第２部材に当接することによって、前記第２部材及び前記第１連結部材を介して前記第１部材の傾きを調整するための第１調整ネジと、
を備えることを特徴とする光ピックアップの４５度ミラー取付構造。
【請求項３】
前記第３部材は、貫通するネジ孔である第２ネジ孔をさらに有し、
前記第２ネジ孔に螺合されて、先端部が前記第２部材に当接することによって、前記第２部材及び前記第１連結部材を介して前記第１部材の傾きを調整するための第２調整ネジをさらに備えることを特徴とする、請求項２に記載の光ピックアップの４５度ミラー取付構造。
【請求項４】
前記第１及び第２ネジ孔は、互いに直交する第１軸及び第２軸上にそれぞれ設けられていることを特徴とする、請求項３に記載の光ピックアップの４５度ミラー取付構造。
【請求項５】
前記第１部材、前記第１連結部材、前記第２部材、前記第２連結部材及び前記第３部材は一体に形成されており、
前記第１連結部材は、前記第１部材及び前記第２部材に対して括れた括部として形成されており、前記第２連結部材は、前記第２部材及び前記第３部材に対して括れた括部とし
て形成されていることを特徴とする、請求項２乃至４の何れかに記載の光ピックアップの４５度ミラー取付構造。
【請求項６】
前記第１部材及び第２部材は、略円板状の部材であることを特徴とする、請求項２乃至５の何れかに記載の４５度ミラー取付構造。
【請求項７】
光ディスクの読み取り及び／又は書き込みに使用される光ピックアップであって、
光源と、
前記光源からの入射光の光軸上に配置された４５度ミラ―と、
前記入射光の前記４５度ミラーでの反射光の光軸上に配置された対物レンズと、
前記４５度ミラーが取り付けられた取付構造であって、前記４５度ミラーを固定するための取付面を有する第１部材と、前記第１部材に対して前記４５度ミラーとは反対側に配置された第２部材と、前記第２部材に対して前記第１部材とは反対側に配置され、貫通するネジ孔である第１ネジ孔を有する第３部材と、前記第１部材及び前記第２部材よりも細く形成され、前記第１部材と前記第２部材とを連結する第１連結部材と、前記第２部材及び前記第３部材よりも細く形成され、前記第２部材と前記第３部材とを連結する第２連結部材と、前記第１ネジ孔に螺合されて、先端部が前記第２部材に当接することによって、前記第２部材及び前記第１連結部材を介して前記第１部材の傾きを調整するための第１調整ネジとを備える４５度ミラーの取付構造と、
を備えることを特徴とする光ピックアップ。
【発明の詳細な説明】
【技術分野】
【０００１】
本発明は、光ピックアップの４５度ミラー取付構造、及び光ピックアップに関する。
【背景技術】
【０００２】
光ピックアップは、光ディスクの記録面上に出力光の光軸を０．１度の誤差の範囲で精度良く集光する必要あり、光軸の精度は、４５度ミラーや対物レンズ等の各レンズの取付精度に強く影響を受ける。特許文献２及び３には、対物レンズの取付誤差を補正する構成が提案されている。しかしながら、対物レンズの取付精度を向上させたとしても、対物レンズへの入射光の光軸を決める４５度ミラーの取付精度が低いままでは、最終的に光ディスク上に集光される光の光軸の精度を向上させることができない。特に、４５度ミラーの取付誤差（例えば０．１度）は、対物レンズへの入射光軸の変化に２倍の影響（０．２度）を与えるため、４５度ミラーの取付精度の向上なしでは、光ピックアップの性能向上は困難である。
【０００３】
特許文献１、４及び５には、４５度ミラーの取付誤差を補正する構成が提案されている。特許文献１には、４５度ミラーの取付台を変形可能にベース（筐体）と一体形成し、取付台の後面を調整ネジで押圧することにより、４５度ミラーの接線方向の傾きを調整するように構成した取付構造が記載されている。特許文献４には、４５度ミラーをミラー取付台及びミラー調整板によって取り付けている。ミラー取付台は、４５度ミラーの取付面と、下面に設けられた取付台軸とを備えている。ミラー調整板は、取付台軸が挿入される軸孔と、光ピックアップの筐体（キャリッジ）に固定するための固定用ネジ孔と、固定用ネジ孔と所定の距離を持って設けられた調整ネジ孔とを有している。この４５度ミラー取付構造では、ミラー取付台の取付台軸をミラー調整板の軸孔に回転可能に挿入するとともに、ミラー調整板の調整ネジ孔に調整ネジを嵌合する。ミラー取付台の取付台軸を軸孔中で回転させることによって、ミラー取付台の傾きを光ディスクの接線方向に沿って調整するとともに、調整ネジの螺合の程度を調整して調整板をネジ孔を支点に変形させることによって、ミラー取付台の傾きを光ディスクの半径方向に沿って調整している。特許文献５には、４５度ミラーを後面側において固定する構成が記載されている。この取付構造では、４５度ミラーの後面をフォルダの前面に固定し、フォルダの後面側を筐体の側壁の内側に固定している。フォルダは、筐体の側壁の外側から内側に貫通する固定ネジによって筐体に固定されている。また、筐体の側壁の外側から内側に貫通してフォルダの後面に当接する調整ネジによって、フォルダの傾きが調整されるように構成されており、調整ネジによってフォルダの傾きが調整されることによって、４５度ミラーの傾きが調整可能となっている。
【特許文献１】特開２００２−１８４０００号公報（第４頁、第２図）
【特許文献２】特開平１０−２７３５１号公報（第３−４頁、第４図）
【特許文献３】特開平５−１５９３１１号公報（第３−４頁、第２図）
【特許文献４】特開平３−２２２２６号公報（第４頁、第１図）
【特許文献５】特開平１−１７３４３４号公報（第２頁、第１図）
【発明の開示】
【発明が解決しようとする課題】
【０００４】
特許文献１に記載の４５度ミラーの取付構造は、光ディスクの接線方向に沿った傾きのみを調整する構成であり、光ディスク半径方向の傾きに誤差がある場合に光軸調整を精度良く行えない場合がある。特許文献４に記載の４５度ミラーの取付構造では、作業者がミラー取付台を保持してミラー調整板に対して回転させて接線方向の傾きを調整する必要があるため微妙な角度の調整が困難であり、作業効率も悪い。また、半径方向の傾きの調整
は作業者が下方より調整ネジを調整する必要があり、作業の効率が悪い。特許文献５に記載の４５度ミラーの取付構造では、４５度ミラーが装着されたフォルダに調整ネジを直接当接させるため、フォルダを介して４５度ミラーにストレスが加わりやすく、４５度ミラーの反射面の歪みを招く虞がある。４５度ミラーの反射面の歪みは、反射光の回折、散乱等を招き、対物レンズへの入射光の光軸の精度を悪化させる。
【０００５】
本発明の目的は、光ピックアップの４５度ミラーの傾き調整を精度良くかつ簡易に行えるようにすることにある。
【０００６】
また、本発明の目的は、光ピックアップの４５度ミラーの傾き調整の際に、４５度ミラーへのストレスを軽減することにある。
【課題を解決するための手段】
【０００７】
第１発明に係る光ピックアップの４５度ミラーの取付構造は、光ディスクの読み取り及び／又は書き込みに使用される光ピックアップに設けられる４５度ミラーの取付構造であって、第１乃至第３部材と、第１及び第２連結部材と、第１及び第２調整ネジとを備えている。
【０００８】
第１部材は、前記４５度ミラーを固定するための取付面を有する略円板状の部材である。第２部材は、前記第１部材に対して前記４５度ミラーとは反対側に配置された略円板状の部材である。第３部材は、前記第２部材に対して前記第１部材とは反対側に配置され、互いに直交する第１軸及び第２軸上にそれぞれ貫通するネジ孔である第１及び第２ネジ孔を有する略円板状の部材である。第３部材は、前記光ピックアップの筐体に固定される。また、第１連結部材は、前記第１部材及び前記第２部材に対して括れた括部として、前記第１部材及び前記第２部材と一体に形成されている。第２連結部材は、前記第２部材及び前記第３部材に対して括れた括部として、前記第２部材及び前記第３部材と一体に形成されている。第１調整ネジは、前記第１ネジ孔に螺合されて、先端部が前記第２部材に当接することによって、前記第２部材及び前記第１連結部材を介して前記第１部材の傾きを調整するための調整ネジである。第２調整ネジは、前記第２ネジ孔に螺合されて、先端部が前記第２部材に当接することによって、前記第２部材及び前記第１連結部材を介して前記第１部材の傾きを調整するための調整ネジである。
【０００９】
この取付構造では、第１及び第２調整ネジの先端部によって第２部材が押圧されると、第２部材が傾きを変え、その傾きの変化が第１連結部材を介して第１部材に伝達される。第１連結部材は、括部であるため所定の弾性を有し、第２部材の傾きの変化が直接に第１部材に伝達されるのを防止して、第２部材の傾きの変化を緩和して第１部材に伝達する。
【００１０】
従って、４５度ミラーの取付作業において、第１及び第２調整ネジによる４５度ミラーの傾き調整の際、第１部材に固定されている４５度ミラーに加わるストレスを緩和し、４５度ミラーの反射面の平面性が劣化することを防止できる。
【００１１】
また、第３部材を光ピックアップの筐体の側壁に固定すれば、第１及び第２調整ネジによる傾き調整を側方から行うことができるので、４５度ミラーの傾き調整を含めた取付作業を精度良くかつ簡易に行うことができる。
【００１２】
また、第１及び第２調整ネジの２つの調整ネジを備え、第１及び第２ネジ孔が互いに直交する第１及び第２軸上にそれぞれ設けられているので、第１調整ネジ及び第２調整ネジによって４５度ミラーの傾きを、例えば光ディスクの接線方向及び半径方向の２方向に沿って調整することができる。
【００１３】
また、第１部材、第１連結部材、第２部材、第２連結部材及び第３部材を一体に形成するため、製造工程が簡易である。また、第１連結部材を括部とすることによって、第２部材の傾きの変化を緩衝して第１部材に伝達することができる。また、第２連結部材を括部とすることによって、第１調整ネジ及び第２調整ネジによって第２部材の傾きを容易に変
更できる。
【００１４】
また、第１及び第２部材を円板状にすることにより、４５度ミラーの傾き調整の際に、第１部材及び第２部材に歪みが生じることを抑制できる。
【００１５】
第２発明に係る光ピックアップの４５度ミラーの取付構造は、光ディスクの読み取り及び／又は書き込みに使用される光ピックアップに設けられる４５度ミラーの取付構造であって、第１乃至第３部材と、第１及び第２連結部材と、第１調整ネジとを備えている。第１部材は、前記４５度ミラーを固定するための取付面を有する。第２部材は、前記第１部材に対して前記４５度ミラーとは反対側に配置されている。第３部材は、前記第２部材に対して前記第１部材とは反対側に配置され、貫通するネジ孔である第１ネジ孔を有し、前記光ピックアップの筐体に固定される。第１連結部材は、前記第１部材及び前記第２部材よりも細く形成され、前記第１部材と前記第２部材とを連結している。第２連結部材は、前記第２部材及び前記第３部材よりも細く形成され、前記第２部材と前記第３部材とを連結する。第１調整ネジは、前記第１ネジ孔に螺合されて、先端部が前記第２部材に当接することによって、前記第２部材及び前記第１連結部材を介して前記第１部材の傾きを調整するための調整ネジである。
【００１６】
この取付構造では、第１調整ネジの先端部によって第２部材が押圧されると、第２部材が傾きを変え、その傾きの変化が第１連結部材を介して第１部材に伝達される。第１連結部材は、第１及び第２部材よりも細く形成されているため、所定の弾性を有し、第２部材の傾きの変化が直接に第１部材に伝達されるのを防止して、第２部材の傾きの変化を緩和して第１部材に伝達する。
【００１７】
従って、４５度ミラーの取付作業において、第１調整ネジによる４５度ミラーの傾き調整の際、第１部材に固定されている４５度ミラーに加わるストレスを緩和し、４５度ミラーの反射面が歪むことを防止できる。言い換えれば、４５度ミラーの傾き調整の際に４５度ミラーの反射面の平面性が劣化することを防止できる。
【００１８】
また、第３部材を光ピックアップの筐体の側壁に固定すれば、第１調整ネジによる傾き調整を側方から行うことができるので、４５度ミラーの傾き調整を含めた取付作業を精度良くかつ簡易に行うことができる。
【００１９】
第３発明に係る取付構造は、第２発明に係る取付構造において、前記第３部材は、貫通するネジ孔である第２ネジ孔をさらに有する。また、この取付構造は、第２調整ネジをさらに備えている。第２調整ネジは、前記第２ネジ孔に螺合されて、先端部が前記第２部材に当接することによって、前記第２部材及び前記第１連結部材を介して前記第１部材の傾きを調整するための調整ネジである。
【００２０】
この取付構造では、第１調整ネジに加え、第２調整ネジをさらに備えるので、４５度ミラーの傾き調整を、例えば、光ディスクの接線方向及び半径方向のような２方向に沿って実行することができ、対物レンズに入射する入射光の光軸の調整を確実に行うことができる。
【００２１】
第４発明に係る取付構造は、第３発明に係る取付構造において、第１及び第２ネジ孔は、互いに直交する第１軸及び第２軸上にそれぞれ設けられていることを特徴とする。この取付構造では、第１及び第２ネジ孔が互いに直交する第１及び第２軸上にそれぞれ設けられているので、第１調整ネジ及び第２調整ネジによって４５度ミラーの傾きを、例えば光ディスクの接線方向及び半径方向のような２方向に沿って調整することができる。
【００２２】
第５発明に係る取付構造は、第２乃至第４発明の何れかに係る取付構造において、前記第１部材、前記第１連結部材、前記第２部材、前記第２連結部材及び前記第３部材は一体に形成されており、前記第１連結部材は、前記第１部材及び前記第２部材に対して括れた
括部として形成されており、前記第２連結部材は、前記第２部材及び前記第３部材に対して括れた括部として形成されていることを特徴とする。
【００２３】
この取付構造では、第１部材、第１連結部材、第２部材、第２連結部材及び第３部材を一体に形成するため、製造工程が簡易である。また、第１連結部材を括部とすることによって、第２部材の傾きの変化を緩衝して第１部材に伝達することができる。また、第２連結部材を括部とすることによって、第１調整ネジ及び第２調整ネジによって第２部材の傾きを容易に変更できる。
【００２４】
第６発明に係る取付構造は、第２乃至第５発明の何れかに係る取付構造において、第１部材及び第２部材は、円板状の部材であることを特徴とする。第１及び第２部材を円板状にすることにより、第１調整ネジ及び第２調整ネジによる調整の際に第２部材及び第１部材の歪みが生じることを防止できる。
【００２５】
第７発明に係る光ピックアップは、光ディスクの読み取り及び／又は書き込みに使用される光ピックアップであって、光源と、光源からの光軸上に配置された４５度ミラ―と、４５度ミラーでの反射光の光軸上に配置された対物レンズと、４５度ミラーが取り付けられた取付構造とを備えている。４５度ミラーの取付構造は、４５度ミラーを固定するための取付面を有する第１部材と、第１部材に対して４５度ミラーとは反対側に配置された第２部材と、第２部材に対して第１部材とは反対側に配置され、貫通するネジ孔である第１ネジ孔を有する第３部材と、第１部材及び第２部材よりも細く形成され、第１部材と第２部材とを連結する第１連結部材と、第２部材及び第３部材よりも細く形成され、第２部材と第３部材とを連結する第２連結部材と、第１ネジ孔に螺合されて、先端部が第２部材に当接することによって、第２部材及び第１連結部材を介して第１部材の傾きを調整するための第１調整ネジとを備えることを特徴とする。
【００２６】
この光ピックアップでは、第２発明の場合と同様に、４５度ミラーの取付作業における第１調整ネジによる４５度ミラーの傾き調整の際、第１部材に固定されている４５度ミラーに加わるストレスを緩和し、４５度ミラーの反射面の平面性が劣化することを防止できる。また、第３部材を光ピックアップの筐体の内側壁に固定すれば、第１調整ネジによる傾き調整を側方から行うことができるので、４５度ミラーの傾き調整を含めた取付作業を精度良くかつ簡易に行うことができる。
【発明の効果】
【００２７】
本発明によれば、光ピックアップの４５度ミラーの傾き調整を精度良くかつ簡易に行える。
【００２８】
また、本発明によれば、光ピックアップの４５度ミラーの傾き調整の際に、４５度ミラーへのストレスを軽減できる。
【発明を実施するための最良の形態】
【００２９】
（１）第１実施形態
〔光ピックアップの構成〕
図１（ａ）は、本発明の第１実施形態に係る光ピックアップの概略構成であり、図１（ｂ）は、光ディスク７と４５度ミラー５の傾きの方向との関係を説明する平面図である。
【００３０】
この光ピックアップは、光ディスク７に記録されている情報の読取及び／又は光ディスク７への情報の記録に使用される。
【００３１】
この光ピックアップは、図１（ａ）に示すように、半導体レーザ等で構成される光源１と、ハーフミラー２と、コリメータレンズ３と、１／４波長板４と、４５度ミラー５と、対物レンズ６とを備えている。４５度ミラー５は、反射面５ａを有しており、４５度ミラー取付構造１００によって光ピックアップの筐体２２（図２、図３参照）に固定されてい
る。この光ピックアップでは、光源１から出力される光ｓ１がハーフミラー２、コリメータレンズ３、１／４波長板４を通過して、４５度ミラー５で４５度の反射角で反射されて９０度光路を変更され光ｓ２となり、光ｓ２が対物レンズ６によって光ディスク７の記録面上に集光される。光ディスク７の記録面上に集光された光ｓ２の反射光ｓ３は、対物レンズ６を通過して４５度ミラー５で４５度の反射角で反射されて光ｓ４となり、光ｓ４が１／４波長板４、コリメータレンズ３を通過してハーフミラー２で反射された後、透過板８ａを透過して光センサ８で検出される。
【００３２】
このような光ピックアップでは、図１（ｂ）に示す様に、４５度ミラー５を光ピックアップの接線方向Ｔ及び半径方向Ｒに沿った傾きθＴ、θＲを調整し、光ｓ１が４５度ミラー５で反射されて光ｓ２が光ディスク７の記録面に垂直になるように調整する必要がある。
【００３３】
〔４５度ミラー取付構造〕
図２は、第１実施形態に係る４５度ミラー取付構造１００の斜視図である。図３は、第１実施形態に係る４５度ミラー取付構造１００の平面図（ａ）、ｂ−ｂにおける断面図（ｂ）、及び矢印ｃから見た後面図（ｃ）である。
【００３４】
４５度ミラー取付構造１００は、第１部材９と、第２部材１０と、第３部材１１と、第１連結部材２０と、第２連結部材２１と、第１調整ネジ１４と、第２調整ネジ１５とを備えている。第１部材９、第２部材１０、第３部材１１、第１連結部材２０及び第２連結部材２１は、例えば、リン青銅、ステンレス等を鋳造又はプレス加工して一体に形成される。第１部材９、第２部材１０、第３部材１１、第１連結部材２０及び第２連結部材２１は、それぞれ別体で形成して後に組み立てても良い。
【００３５】
第１部材９は、円板状の部材であり、互いに対向する前面９ａ及び後面９ｂを有している。前面９ａは、４５度ミラー５の取付面である。４５度ミラー５は、プリズム形状であり、断面視略三角形状であり、略矩形状の反射面５ａと、略矩形状の取付面５ｂとを有している。反射面５ａは、入射光ｓ１及び反射光ｓ２の光軸に対して４５度の角度を持って配置されている。４５度ミラーの取付面５ｂは、第１部材９の前面９ａに取り付けられている。４５度ミラー５の取付面５ｂは、第１部材９の前面９ａに接着剤によって接着されて固定されている。また、４５度ミラー５は、反射面５ａの４隅において押圧部材２５及び２６によって押圧されている。これは、４５度ミラー５を第１部材９に接着している接着剤が熱によって膨張及び収縮して、４５度ミラー５の反射面５ａの傾きが狂うのを防止するためである。押圧部材２５は、第１部材９の前面９ａの上部に固定されており、押圧片２５ａによって４５度ミラー５の反射面５ａの上部２隅を押圧している。押圧部材２６は、第１部材９の前面９ａの下部に固定された支持部材２７の先端部に固定されている。押圧部材２６は、押圧片２６ａによって４５度ミラー５の反射面５ａの下部２隅を押圧している。第１部材９の後面９ｂは、第１連結部材２０によって第２部材１０に連結されている。
【００３６】
第１連結部材２０は、第１部材９及び第２部材１０よりも細く、第１部材９及び第２部材１０に対して括れた括部として形成されている。第１連結部材２０は、第１部材９の後面９ｂと第２部材１０の前面１０ａとを連結している。
【００３７】
第２部材１０は、円板状の部材であり、互いに対向する前面１０ａ及び後面１０ｂを有している。前面１０ａは、第１連結部材２０によって第１部材９の後面９ｂに連結されている。後面１０ｂは、第１調整ネジ１４及び第２調整ネジ１５の先端部が当接される当接面として機能する。後面１０ｂは、第２連結部材２１によって第３部材１１に連結されている。
【００３８】
第２連結部材２１は、第２部材１０及び第３部材１１よりも細く、第２部材１０及び第
３部材１１に対して括れた括部として形成されている。第２連結部材２１は、第２部材１０の後面１０ｂと第３部材１１の前面１１ａとを連結している。
【００３９】
第３部材１１は、略矩形状の部材であり、互いに対向する前面１１ａ及び後面１１ｂを有している。また、第３部材１１は、前面１１ａから後面１１ｂにかけて貫通する調整ネジ孔１２、１３と、前面１１ａから後面１１ｂにかけて貫通する貫通孔１６，１７とを有している。調整ネジ孔１２、１３は、図３（ｃ）に示すように、互いに直交するＸ軸及びＹ軸上に形成されている。Ｘ軸は、光ディスク７の接線Ｔに平行であり、Ｙ軸は光ディスクの記録面に垂直な方向に沿っている。第１調整ネジ１４及び第２調整ネジ１５は、例えば、六角穴付ボルトである。第１調整ネジ１４は、第３部材１３の後面１１ｂ側から調整ネジ孔１２に螺合され、前面１１ａ側に貫通して、第１調整ネジ１４の先端部が第２部材１０の後面１０ｂに当接する。第２調整ネジ１５は、第３部材１１の後面１１ｂ側から調整ネジ孔１３に螺合され、前面１１ａ側に貫通して、第２調整ネジ１５の先端部が第２部材１０の後面１０ｂに当接する。
【００４０】
図２及び図３において、２２は光ピックアップの筐体であり、筐体２２には、４５度ミラー取付構造１００を固定するための切り欠き部２２ａが形成されている。また、筐体２２は、外壁においてネジ孔２３、２４を有している。固定ネジ１８、１９がそれぞれ第３部材１１の貫通孔１６及び１７を介してネジ孔２３及び２４に螺合されることにより、第３部材１１の前面１１ｂが筐体２２の外壁に固定される。
【００４１】
この４５度ミラー取付構造１００によれば、第１調整ネジ１４の調整ネジ孔１２への螺合の程度を調整すると、第２部材１０が第２連結部材２１を支点として光ディスク７の半径方向Ｒに沿って変更され、第２部材１０の半径方向Ｒの傾きθＲの変更に伴って、第１連結部材２０を介して第１部材９の半径方向Ｒの傾きθＲが変更される。これにより、４５度ミラー５の半径方向Ｒの傾きθＲが調整される。第２調整ネジ１５についても同様であり、第２調整ネジ１５の調整ネジ孔１３への螺合の程度を調整すると、第２部材１０が第２連結部材２１を支点として光ディスク７の接線方向Ｔに沿って変更され、第２部材１０の接線方向Ｔの傾きθＴの変更に伴って、第１連結部材２０を介して第１部材９の接線方向Ｔの傾きθＴが変更される。これにより、４５度ミラー５の接線方向の傾きθＴが調整される。
【００４２】
このとき、即ち、第１調整ネジ１４及び第２調整ネジ１５による４５度ミラー５の傾き調整の際に、第１連結部材２０は、括部として形成されているために弾性を有し、第２部材１０の傾きの変更を緩衝して第１部材９に伝達する緩衝部材として機能するため、第１部材９に加わるストレスを緩和することができる。即ち、第１部材９の傾きを調整ネジ等で直接調整する場合には、第１部材９に直接ストレスが加わるために第１部材９の歪みが大きくなり、この第１部材９の歪みが４５度ミラー５の歪みを引き起こし、反射面５ａの平面性が悪化するおそれがあるが、本実施形態のように第２部材１０及び第１連結部材２０を介して第１部材９の傾きを調整すれば、第１連結部材２０が第２部材１０の傾きの変化を緩衝して第１部材９の傾きの変化として伝達するため、第１部材９に加わるストレスを緩和して４５度ミラー５の反射面５ａの平面性の悪化を防止することができる。
【００４３】
また、本実施形態によれば、作業者は第１調整ネジ１４及び第２調整ネジ１５を側方から操作するのみで、４５度ミラー５の傾き調整を精度良く行うことができるので、４５度ミラーの傾き調整を簡易に行うことができる。
【００４４】
また、本実施形態によれば、第１調整ネジ１４及び第２調整ネジ１５により第２部材１０の傾きを調整し、第２部材１０の傾きの変更を第１連結部材２０を介して第１部材９に伝達することによって、４５度ミラーの平面性の劣化を防止しつつ、４５度ミラー５による光軸調整を精度良く安定して行うことができるので、４５度ミラー５の取付構造１００への接着、４５度ミラー５を取り付けるための取付面の面精度機械寸法の精度を緩和させ
ることができる。
【００４５】
（２）第２実施形態
第２実施形態に係る４５度ミラー取付構造１００は、平板状の４５度ミラー２８を筐体２２に取り付けるための取付構造であり、第１部材２９の構造が第１実施形態に係る第１部材９の構造と異なる。第１部材２９の構造以外は、第１実施形態の構造と同様であるので、ここでは第１部材２９の構造について説明する。
【００４６】
図４は、第２実施形態に係る第１部材２９の斜視図である。第１部材２９は、略円板状の部材であり、互いに対向する前面２９ａ及び後面２９ｂを有している。本実施形態では、前面２９ａは、平板状の４５度ミラー２８の反射面２８ａが光ｓ１の光軸に対して４５度の傾きを持つように、光ｓ１の光軸に対して４５度の傾きを持つように形成されており、後面２９ｂは光ｓ１の光軸に対して略垂直に形成されている。即ち、前面２９ａ及び後面２９ｂは略４５度を成して対向しており、光ディスク７から離れるほど、前面２９ａと後面２９ｂとの間の距離が大きくなるように第１部材２９が形成されている。
【００４７】
図５は、４５度ミラー２８及び第１部材２９の断面図である。同図に示すように、４５度ミラー２８は、４５度ミラー取付け構造の高さを低減するために、上下端部の略三角形状の部分３０（図中破線で示す）が切り落とされている。
【００４８】
本実施形態によっても、第１実施形態において述べたと同様に、第１調整ネジ１４及び第２調整ネジ１５によって４５度ミラー２８の接線方向θＴ及び半径方向θＲの傾きを調整する際に、第１調整ネジ１４及び第２調整ネジ１５による第２部材１０の傾きの変化が第１連結部材２０で緩衝されて第１部材９の傾きの変化として伝達されるため、４５度ミラー５の傾き調整の際に４５度ミラー２８に加わるストレスを緩和し、４５度ミラー２８の反射面２８ａの平面性を保持することができる。
【００４９】
（３）その他の実施形態
上記では、第３部材１１に調整ネジ孔を２つ設け、調整ネジ２本で第２部材１０の傾きを変更したが、第３部材１１に調整ネジ孔を３つ以上設け、３つ以上の調整ネジで第２部材１０の傾きを変更するようにしても良い。
【００５０】
上記では、第１部材９、第２部材１０を円板状に形成したが、第１部材９、第２部材１０の形状は円板状に限られない。また、上記では、第３部材１１を略矩形状に形成したが、第３部材１１の形状は矩形状に限られない。
【００５１】
上記では、第１調整ネジ１４及び第２調整ネジ１５を六角穴付ボルトとしたが、第１調整ネジ１４及び第２調整ネジ１５は六角穴付ボルト以外でも良い。
【図面の簡単な説明】
【００５２】
【図１】光ピックアップの概略構成図。
【図２】４５度ミラー取付構造の斜視図。
【図３】４５度ミラー取付構造の平面図（ａ）、断面図（ｂ）、後面図（ｃ）。
【図４】４５度ミラー取付構造の第１部材の斜視図（第２実施形態）。
【図５】４５度ミラー取付構造の第１部材の断面図（第２実施形態）。
【符号の説明】
【００５３】
１    光源
２    ハーフミラー
３    コリメータレンズ
４    １／４波長板
５、２８    ４５度ミラー
６    対物レンズ
７    光ディスク
８    光センサ
８ａ  透過板
９、２９    第１部材
１０    第２部材
１１    第３部材
１２、１３    調整ネジ孔
１４    第１調整ネジ
１５    第２調整ネジ
１６、１７    貫通孔
１８、１９    固定ネジ
２０    第１連結部材
２１    第２連結部材
２２    筐体
２３、２４    ネジ孔
２５、２６  押圧部材
２７    支持部材
３０    切り取り部分
【図１】
2006024317.tif 000003
【図２】
2006024317.tif 000004
【図３】
2006024317.tif 000005
【図４】
2006024317.tif 000006
【図５】
2006024317.tif 000007